(57)【要約】【課題】低コスト化を図り、かつ、各種システム構成装置についても現状の処理性能のままで、音響装置の周波数特性調整を容易に行えるようにする。【解決手段】音声を集音する携帯端末とネットワーク接続され、前記携帯端末からの測定用音声信号の再生要求に応じてスピーカーから測定用音声信号の音声を放音するとともに、前記スピーカーに供給する音声信号の周波数特性を調整する周波数特性調整部に対して前記携帯端末から送信されるパラメータを設定する音響装置と、前記携帯端末とネットワーク接続され、前記携帯端末の集音部で集音した前記測定用音声信号を再生した音声データを前記携帯端末から受け取り、前記音声データの周波数特性を解析し、解析した当該音声データの周波数特性が所望の周波数特性となるように、前記周波数特性調整部に設定するパラメータを生成し、生成したパラメータを前記携帯端末に対して送信する情報処理装置と、を備える。【選択図】図６
2013135320.tif 000002
【特許請求の範囲】
【請求項１】
集音部により音声を集音する携帯端末と、
前記携帯端末とネットワーク接続され、前記携帯端末からの測定用音声信号の再生要求に応じてスピーカーから測定用音声信号の音声を放音するとともに、前記スピーカーに供給する音声信号の周波数特性を調整する周波数特性調整部に対して前記携帯端末から送信されるパラメータを設定する音響装置と、
前記携帯端末とネットワーク接続され、前記携帯端末の集音部で集音した前記測定用音声信号を再生した音声データを前記携帯端末から受け取り、前記音声データの周波数特性を解析し、解析した当該音声データの周波数特性が所望の周波数特性となるように、前記周波数特性調整部に設定するパラメータを生成し、生成したパラメータを前記携帯端末に対して送信する情報処理装置と、
を備える周波数特性調整システム。
【請求項２】
前記情報処理装置は、解析した前記音声データの周波数特性を前記携帯端末に対して送信する、
請求項１記載の周波数特性調整システム。
【請求項３】
前記携帯端末は、前記情報処理装置による前記音声データの周波数特性およびパラメータ設定後の周波数特性を表示部に表示する、
請求項２記載の周波数特性調整システム。
【請求項４】
前記携帯端末は、前記音響装置に対する前記測定用音声信号の再生要求と、前記集音部で集音した前記測定用音声信号を再生した音声データの前記情報処理装置に対する送信とを、表示部に表示した所定のＧＵＩ（Graphical  User  Interface）に対する操作に応じて実行する、
請求項１記載の周波数特性調整システム。
【請求項５】
前記情報処理装置は、前記音声データの周波数特性の解析結果および生成した前記パラメータを記憶部に蓄積する、
請求項１記載の周波数特性調整システム。
【請求項６】
前記情報処理装置は、前記音響装置の音声信号の再生に関わる詳細情報を機種毎に記憶部に蓄積し、前記音響装置から取得あるいはユーザが入力した機種情報に応じて、前記記憶部に蓄積されている当該機種の詳細情報を利用して前記パラメータを生成する、
請求項１記載の周波数特性調整システム。
【請求項７】
集音部を備える携帯端末と、スピーカーおよび当該スピーカーに供給する音声信号の周波数特性を調整する周波数特性調整部を備える音響装置と、情報処理装置とをネットワーク接続したシステムにおける周波数特性調整方法であって、
前記携帯端末から前記音響装置に対して測定用音声信号の再生を要求し、
前記音響装置の前記スピーカーから測定用音声信号の音声を放音し、
前記携帯端末の前記集音部により音声を集音し、
前記携帯端末の前記集音部で集音した前記測定用音声信号を再生した音声データを前記携帯端末から前記情報処理装置に送信し、
前記情報処理装置で前記音声データの周波数特性を解析するとともに、解析した当該音声データの周波数特性が所望の周波数特性となるように、前記音響装置の前記周波数特性調整部に設定するパラメータを生成し、
生成したパラメータを前記情報処理装置から前記携帯端末に対して送信し、
前記音響装置の前記周波数特性調整部に対して前記携帯端末から送信されたパラメータを設定する、
周波数特性調整方法。
【発明の詳細な説明】
【技術分野】
【０００１】
本発明の実施形態は、周波数特性調整システムおよび周波数特性調整方法に関する。
【背景技術】
【０００２】
従来、電子機器のスピーカーから放音されるテスト音声を集音して周波数特性を測定し、その測定結果に基づいて周波数特性を目標の特性に補正する技術が開示されている。
【先行技術文献】
【特許文献】
【０００３】
【特許文献１】特開２００１−１９７５８５号公報
【発明の概要】
【発明が解決しようとする課題】
【０００４】
従来技術においては、テスト音声を集音するマイクロホン、集音した音声の周波数特性を解析するスペクトルアナライザ、周波数特性を目標の特性に補正するパラメータを生成する調整パラメータ生成装置などが必要であり、それらを組み込んだ専用の測定装置などを用いていた。
【０００５】
しかしながら、専用の測定装置を用いる場合、コスト面、処理性能面等に課題があった。
【０００６】
本発明は、上記に鑑みてなされたものであって、低コスト化を図り、かつ、各種システム構成装置についても現状の処理性能のままで、音響装置の周波数特性調整を簡便に行えるようにすることを目的とする。
【課題を解決するための手段】
【０００７】
実施形態の周波数特性調整システムは、集音部により音声を集音する携帯端末と、前記携帯端末とネットワーク接続され、前記携帯端末からの測定用音声信号の再生要求に応じてスピーカーから測定用音声信号の音声を放音するとともに、前記スピーカーに供給する音声信号の周波数特性を調整する周波数特性調整部に対して前記携帯端末から送信されるパラメータを設定する音響装置と、前記携帯端末とネットワーク接続され、前記携帯端末の集音部で集音した前記測定用音声信号を再生した音声データを前記携帯端末から受け取り、前記音声データの周波数特性を解析し、解析した当該音声データの周波数特性が所望の周波数特性となるように、前記周波数特性調整部に設定するパラメータを生成し、生成したパラメータを前記携帯端末に対して送信する情報処理装置と、を備える。
【０００８】
実施形態の周波数特性調整方法は、集音部を備える携帯端末と、スピーカーおよび当該スピーカーに供給する音声信号の周波数特性を調整する周波数特性調整部を備える音響装置と、情報処理装置とをネットワーク接続したシステムにおける周波数特性調整方法であって、前記携帯端末から前記音響装置に対して測定用音声信号の再生を要求し、前記音響装置の前記スピーカーから測定用音声信号の音声を放音し、前記携帯端末の前記集音部により音声を集音し、前記携帯端末の前記集音部で集音した前記測定用音声信号を再生した音声データを前記携帯端末から前記情報処理装置に送信し、前記情報処理装置で前記音声データの周波数特性を解析するとともに、解析した当該音声データの周波数特性が所望の周波数特性となるように、前記音響装置の前記周波数特性調整部に設定するパラメータを生成し、生成したパラメータを前記情報処理装置から前記携帯端末に対して送信し、前記音響装置の前記周波数特性調整部に対して前記携帯端末から送信されたパラメータを設定する。
【図面の簡単な説明】
【０００９】
【図１】図１は、実施形態にかかる周波数特性調整システムの例を示したシステム構成図である。
【図２】図２は、タブレット端末の外観の一例を示す平面図である。
【図３】図３は、タブレット端末のハードウェア構成の一例を示すブロック図である。
【図４】図４は、テレビジョン表示装置のハードウェア構成の一例を示すブロック図である。
【図５】図５は、サーバのモジュール構成図である。
【図６】図６は、イコライザ設定処理の流れを示すフローチャートである。
【図７】図７は、測定音の録音データの解析結果表示例を示す正面図である。
【発明を実施するための形態】
【００１０】
以下に示す実施形態では、周波数特性調整システムおよび周波数特性調整方法を、携帯端末としてのタブレット端末と、音響装置としてのテレビジョン表示装置と、情報処理装置としてのサーバとをネットワーク接続したシステムに適用した例について説明する。
【００１１】
図１は、実施形態にかかる周波数特性調整システムの例を示したシステム構成図である。図１に示す周波数特性調整システムは、家庭内の無線または有線の家庭内ネットワーク２を介して接続されたテレビジョン表示装置１と、無線ルータ３と、タブレット端末１０と、を備えている。無線ルータ３は、タブレット端末１０との間で無線通信を行うことで、タブレット端末１０を家庭内ネットワーク２に接続する。これにより、テレビジョン表示装置１とタブレット端末１０との間で通信を可能としている。
【００１２】
なお、タブレット端末１０の代わりにスマートフォンなどの携帯通信端末や携帯可能なＰＣ等を携帯端末として用いても良い。
【００１３】
タブレット端末１０は、例えば、３Ｇ（第３世代）通信などの移動体通信技術や、無線ルータ３を利用してインターネットなどのネットワーク４に接続し、ネットワーク４上のサーバ１００から各種の情報を取得する機能を有する。サーバ１００は、例えばテレビジョン表示装置１の製造メーカが提供するものである。
【００１４】
まず、タブレット端末１０について説明する。
【００１５】
図２は、タブレット端末１０の外観の一例を示す平面図である。タブレット端末１０は、ユーザが把持する薄い箱状の筐体１１を備える。タブレット端末１０は、筐体１１の前面（一方の主面）側に、情報を表示する表示部１２を備えている。表示部１２は、ユーザによってタッチされた表示画面上の位置を検知するタッチパネルを備える。
【００１６】
また、タブレット端末１０は、筐体１１の前面側であって表示部１２の下側に位置させて、ユーザが各種操作を行うための操作スイッチ１３を備える。また、タブレット端末１０は、筐体１１の前面側であって表示部１２の上側に位置させて、音声出力を行うためのスピーカー１４を備える。さらに、タブレット端末１０は、筐体１１の上部に、画像を撮影するためのカメラモジュール１５を備える。カメラモジュール１５は、筐体１１の前面側の画像を撮影する前面カメラと、筐体１１の背面（他方の主面）側の画像を撮影する背面カメラとを備える。
【００１７】
さらにまた、タブレット端末１０は、筐体１１の前面側であって表示部１２の上側に位置させて、音声を集音する集音部であるマイク３０を備える。
【００１８】
図３は、タブレット端末１０のハードウェア構成の一例を示すブロック図である。図３に示すように、タブレット端末１０は、上述の構成に加え、ＣＰＵ（Central  Processing  Unit）１６、システムコントローラ１７、グラフィックスコントローラ１８、タッチパネルコントローラ１９、不揮発性メモリ２０、ＲＡＭ（Random  Access  Memory）２１、音声処理部２２、および無線通信モジュール２３を備える。
【００１９】
表示部１２は、ディスプレイ１２ａとタッチパネル１２ｂとを組み合わせた、いわゆるタッチスクリーンとして構成される。ディスプレイ１２ａは、例えば、ＬＣＤ（Liquid  Crystal  Display）や有機ＥＬ（Electro  Luminescence）ディスプレイなどである。タッチパネル１２ｂは、ユーザの指やスタイラスペンなどによってタッチされたディスプレイ１２ａの表示画面上の位置（タッチ位置）を検知する。
【００２０】
ＣＰＵ１６は、タブレット端末１０の動作を統括的に制御するプロセッサである。ＣＰＵ１６は、システムコントローラ１７を介してタブレット端末１０の各部を制御する。ＣＰＵ１６は、例えば、不揮発性メモリ２０からＲＡＭ２１にロードされるオペレーションシステムや各種のアプリケーションプログラムを実行することにより、タブレット端末１０の各部を制御するための機能を実現する。本実施形態では、特にＣＰＵ１６が視聴空間の音響周波数特性を調整するためのアプリケーションプログラム（以下、「音響周波数特性調整アプリ」という。）を実行することにより、後述する処理（図６参照）を実現する。
【００２１】
不揮発性メモリ２０は、オペレーションシステムや各種のアプリケーションプログラム、プログラムの実行に必要な各種データなどを記憶する。ＲＡＭ２１は、タブレット端末１０のメインメモリとして、ＣＰＵ１６がプログラムを実行する際の作業領域を提供する。
【００２２】
システムコントローラ１７は、不揮発性メモリ２０およびＲＡＭ２１に対するアクセスを制御するメモリコントローラを内蔵する。また、システムコントローラ１７は、グラフィックスコントローラ１８、タッチパネルコントローラ１９、音声処理部２２との通信を実行する機能を有する。また、システムコントローラ１７は、操作スイッチ１３が受け付けたユーザ操作の情報や、カメラモジュール１５からの画像情報を入力する機能を有する。また、システムコントローラ１７は、無線通信モジュール２３を利用して電子機器１０の外部から各種情報を取得する機能を有する。
【００２３】
グラフィックスコントローラ１８は、表示部１２のディスプレイ１２ａを制御する表示コントローラである。タッチパネルコントローラ１９は、タッチパネル１２ｂを制御し、ユーザによるタッチ位置を示す座標データをタッチパネル１２ｂから取得する。
【００２４】
音声処理部２２は、ＣＰＵ１６による制御のもとで、音声合成などの音声処理を施して生成した音声ガイダンスなどをスピーカー１４から出力させる処理を行うとともに、マイク３０で集音した音声に対する処理を行う。
【００２５】
無線通信モジュール２３は、ＣＰＵ１６による制御のもとで、無線ルータ３を介したテレビジョン表示装置１との間の無線通信や、ネットワーク４に接続するための無線通信を実行する。
【００２６】
次に、テレビジョン表示装置１について説明する。
【００２７】
図１に示すように、テレビジョン表示装置１は、音声を出力するスピーカー５０Ａ，５０Ｂを有し、アンテナ６に接続されたアンテナ線５と、家庭内ネットワーク２に接続するケーブル７とが接続されている。
【００２８】
図４は、テレビジョン表示装置１のハードウェア構成の一例を示すブロック図である。図４に示すように、テレビジョン表示装置１は、テレビジョン放送信号を受信するテレビ機能部５１と、ＨＤＭＩ規格に準拠したデジタル映像信号を受信する通信装置であるＨＤＭＩ通信部５２と、家庭内ネットワーク２を介して伝送されるＩＰＴＶ（Internet  Protocol  Television）を受信するＬＡＮ（Local  Area  Network）通信部５３と、テレビ機能部５１、ＨＤＭＩ通信部５２及びＬＡＮ通信部５３の出力を選択するセレクタ５４と、セレクタ５４から出力される映像信号に基づいて表示部５５に映像を表示させる表示駆動部５６と、セレクタ５４から出力される音声信号の周波数特性を調整する周波数特性調整部であるイコライザ６５と、イコライザ６５で調整された音声信号に基づいてスピーカー５０Ａ，５０Ｂに音声を出力させる音声駆動部５７と、テレビジョン表示装置１の各部を統括的に制御する制御部５８とを有している。
【００２９】
制御部５８は、ＣＰＵ（Central  Processing  Unit）と、当該ＣＰＵに作業エリアを提供するＲＡＭ（Random  Access  Memory）と、各種の設定情報及びプログラム等が格納される不揮発性メモリとを備え、ＣＰＵがプログラムに従って各種の演算処理を実行してテレビジョン表示装置１全体を制御する。
【００３０】
テレビ機能部５１は、ＴＶ（Television）入力端子５９にアンテナ線５を介して接続されるアンテナ６によってテレビジョン放送信号を受信し、所定のチャンネルの信号を抽出するチューナ部６０と、チューナ部６０から出力される受信信号を入力して映像信号Ｖ１及び音声信号Ａ１に復元する信号処理部６１とを有する。
【００３１】
ＨＤＭＩ通信部５２は、コネクタ６２にＨＤＭＩケーブル８を介して接続されるＤＶＤレコーダなどの外部機器から受信したＨＤＭＩ規格のデジタル映像信号を映像成分と音声成分とに分離し、映像信号Ｖ２と、音声信号Ａ２として出力する。
【００３２】
ＬＡＮ通信部５３は、ＬＡＮ端子６３に接続されるケーブル７を介して家庭内ネットワーク２およびネットワーク４からＩＰＴＶ放送信号を受信し、受信信号から図示しないデコーダで復号された映像信号Ｖ３及び音声信号Ａ３を出力する。
【００３３】
セレクタ５４は、テレビ機能部５１から出力された映像信号Ｖ１及び音声信号Ａ１とＨＤＭＩ通信部５２から出力された映像信号Ｖ２及び音声信号Ａ２と、ＬＡＮ通信部５３から出力された映像信号Ｖ３及び音声信号Ａ３とを選択的に切り換えて表示駆動部５６及び音声駆動部５７に出力する機能を有する。
【００３４】
イコライザ６５は、セレクタ５４から出力されるデジタルの音声信号の周波数特性を調整する。具体的には、イコライザ６５は、入力されたデジタルの音声信号の特定の周波数帯域を強調または抑圧することにより、所望の音質調整を実現する。イコライザ６５は、パラメトリックイコライザあるいはＦＩＲ（Finite  Impulse  Response）フィルタの構成とされており、設定されるパラメータに応じて、音声データの振幅レベルを調整して、音声データの周波数特性を調整することができる。
【００３５】
音声駆動部５７は、イコライザ６５で調整されたデジタルの音声信号を、スピーカー５０Ａ，５０Ｂで再生可能なアナログ音声信号に変換した後、スピーカー５０Ａ，５０Ｂに出力して音声を再生させる。
【００３６】
また、テレビジョン表示装置１は、リモートコントローラ（図示せず）の遠隔操作信号を受信する操作入力部６４を備えている。
【００３７】
加えて、テレビジョン表示装置１は、視聴空間の音響周波数特性を測定するための測定用音声信号を生成する測定用音声信号生成部６６を備えている。測定用音声信号生成部６６が生成する測定用音声信号は、例えば、ホワイトノイズ信号、ピンクノイズ信号、バンドノイズ信号、又はスイープサイン信号等である。また、測定用音声信号は、測定の度に生成するのではなく、メモリ等に記憶させて読み出しても良い。測定用音声信号生成部６６で生成された測定用音声信号は、セレクタ５４から出力される音声信号と同様に、イコライザ６５に入力される。
【００３８】
続いて、サーバ１００について説明する。
【００３９】
サーバ１００は、一般的なコンピュータである。図５は、サーバ１００のモジュール構成図である。図５に示すように、サーバ１００は、情報処理を行うＣＰＵ（Central  Processing  Unit）１０１、ＢＩＯＳなどを記憶した読出し専用メモリであるＲＯＭ（Read  Only  Memory）１０２、各種データを書換え可能に記憶するＲＡＭ（Random  Access  Memory）１０３、各種データベースとして機能するとともにＯＳ（Operating  System）や各種のアプリケーションプログラムを記憶する記憶部であるＨＤＤ（Hard  Disk  Drive）１０４、記憶媒体１１０を用いて情報を保管したり外部に情報を配布したり外部から情報を入手するためのＤＶＤドライブ等の媒体読取装置１０５、ネットワーク４を介して外部の他の機器と通信により情報を伝達するための通信制御装置１０６、処理経過や結果等を操作者に表示するＬＣＤ（Liquid  Crystal  Display）等の表示部１０７、並びに操作者がＣＰＵ１０１に命令や情報等を入力するためのキーボードやマウス等のポインティングデバイスである入力部１０８等から構成されており、これらの各部間で送受信されるデータをバスコントローラ１０９が調停して動作する。
【００４０】
例えば、サーバ１００には、アプリケーションプログラムとして、テレビジョン表示装置１のスピーカー５０Ａ，５０Ｂから出力された測定用音声の録音データを解析して、音響周波数特性に応じてイコライザ６５の設計を行うプログラムがインストールされている。
【００４１】
なお、一般的には、サーバ１００のＨＤＤ１０４にインストールされるアプリケーションプログラムは、ＣＤ−ＲＯＭやＤＶＤなどの各種の光ディスク、各種光磁気ディスク、フレキシブルディスクなどの各種磁気ディスク、半導体メモリ等の各種方式のメディア等の記憶媒体１１０に記録され、この記憶媒体１１０に記録された動作プログラムがＨＤＤ１０４にインストールされる。このため、ＣＤ−ＲＯＭやＤＶＤ等の光情報記録メディアやＦＤ等の磁気メディア等の可搬性を有する記憶媒体１１０も、アプリケーションプログラムを記憶する記憶媒体となり得る。さらには、アプリケーションプログラムは、例えば通信制御装置１０６を介して外部から取り込まれ、ＨＤＤ１０４にインストールされても良い。
【００４２】
サーバ１００は、ＯＳ上で動作するアプリケーションプログラムが起動すると、このアプリケーションプログラムに従い、ＣＰＵ１０１が各種の演算処理を実行して各部を集中的に制御する。
【００４３】
以下において、タブレット端末１０、テレビジョン表示装置１及びサーバ１００が実行する各種の演算処理のうち、本実施形態の特長的な処理であるイコライザ設定処理について説明する。
【００４４】
ここで、図６はタブレット端末１０、テレビジョン表示装置１及びサーバ１００の連携によるイコライザ設定処理の流れを示すフローチャートである。図６に示すように、タブレット端末１０のＣＰＵ１６は、音響周波数特性調整アプリの起動による所定のＧＵＩ（Graphical  User  Interface）をディスプレイ１２ａに表示した状態でタッチパネル１２ｂを介した測定音再生の要求があったと判定すると（ステップＳ１のＹｅｓ）、無線通信モジュール２３を介してテレビジョン表示装置１に対して測定音再生を要求する（ステップＳ２）。
【００４５】
テレビジョン表示装置１の制御部（ＣＰＵ）５８は、ＬＡＮ通信部５３を介してタブレット端末１０からの測定音再生要求を受信すると（ステップＳ１１のＹｅｓ）、イコライザ６５をゲイン０ｄＢのパラメータに初期化するとともに（ステップＳ１２）、測定用音声信号生成部６６を制御して視聴空間の音響周波数特性を測定するための測定用音声信号を生成し（ステップＳ１３）、生成した測定用音声信号をイコライザ６５および音声駆動部５７を介してスピーカー５０Ａ，５０Ｂから測定音を出力再生する（ステップＳ１４）。
【００４６】
タブレット端末１０のＣＰＵ１６は、測定音再生の要求後、マイク３０を利用して測定音の録音を一定期間行う（ステップＳ３）。
【００４７】
一定期間経過後、タブレット端末１０のＣＰＵ１６は、所定のＧＵＩ操作による録音データ解析要求があったと判定すると（ステップＳ４のＹｅｓ）、無線通信モジュール２３を介してサーバ１００に対して録音データ解析を要求する（ステップＳ５）。
【００４８】
サーバ１００のＣＰＵ１０１は、通信制御装置１０６を介してタブレット端末１０からの録音データ解析要求および録音データを受信すると（ステップＳ２１のＹｅｓ）、録音データの解析（ステップＳ２２）、解析結果からのイコライザのパラメータ設計を行い（ステップＳ２３）、録音データの解析結果およびイコライザのパラメータ設計をタブレット端末１０に送信する（ステップＳ２４）。
【００４９】
イコライザのパラメータ設計は、パラメトリックイコライザの構成とされているイコライザ６５を実現するフィルタの係数（パラメータ）を変更することによって、ピークやディップを有する特性から平坦な特性に調整するなどして周波数特性が所望の周波数特性になるように調整するものである。
【００５０】
なお、録音データの解析結果およびイコライザのパラメータ設計をサーバ１００のＨＤＤ１０４に蓄積するようにすれば、テレビジョン表示装置１のユーザ視聴環境に関するデータを蓄積でき、以降の開発にそのデータを有効に利用することができる。
【００５１】
また、テレビジョン表示装置１の機種毎の音声信号の再生に関わる詳細情報（例えば再生帯域：２００Ｈｚ〜１５ｋＨｚ等）をサーバ１００のＨＤＤ１０４に蓄積するようにすれば、テレビジョン表示装置１から取得あるいはユーザが入力した機種情報に応じて、サーバ１００のＨＤＤ１０４に蓄積されている当該機種の詳細情報を利用してパラメータを生成することができる。このようにすることで、２００Ｈｚまでしか低音が出ない機種をユーザが指定した場合に、８０Ｈｚまでのパラメータを生成するような誤った補正を防止することができる。
【００５２】
タブレット端末１０のＣＰＵ１６は、無線通信モジュール２３を介してサーバ１００から録音データの解析結果およびイコライザのパラメータ設計を受信すると（ステップＳ６のＹｅｓ）、ディスプレイ１２ａに録音データの解析結果を表示し（ステップＳ７）、イコライザパラメータ設定の要求に待機する（ステップＳ８）。
【００５３】
図７は、テレビジョン表示装置１のスピーカー５０Ａ，５０Ｂから放音される測定音の録音データの解析結果表示例を示す正面図である。図７に示すように、テレビジョン表示装置１のスピーカー５０Ａ，５０Ｂから放音された測定音の周波数特性（録音データの解析結果）と、イコライザのパラメータ設計に従った場合の周波数特性とが併せてディスプレイ１２ａに表示される。このように録音データの解析結果を表示することにより、ユーザにイコライザパラメータ設定後の効果を視覚的に確認させることができるようになる。
【００５４】
タブレット端末１０のＣＰＵ１６は、所定のＧＵＩ操作によるイコライザパラメータ設定の要求があったと判定すると（ステップＳ８のＹｅｓ）、無線通信モジュール２３を介してテレビジョン表示装置１に対してイコライザパラメータ設定を要求する（ステップＳ９）。
【００５５】
テレビジョン表示装置１の制御部（ＣＰＵ）５８は、ＬＡＮ通信部５３を介してタブレット端末１０からのイコライザパラメータ設定要求を受信すると（ステップＳ１５のＹｅｓ）、イコライザ６５のパラメータ更新を行う（ステップＳ１６）。
【００５６】
このように本実施形態によれば、ユーザが所有するマイク３０を内蔵したタブレット端末１０を利用でき、スピーカー５０Ａ，５０Ｂを搭載したテレビジョン表示装置１に対するマイク同梱によるコストアップがない。また、タブレット端末１０においてはＵＩの実装のみで良く、音声データの周波数特性を解析処理や解析した音声データの周波数特性が所望の周波数特性となるようなパラメータの生成処理などの複雑な処理はサーバ１００に要求するので、タブレット端末１０の処理性能が低くても実装が容易である。
【００５７】
また、携帯端末としてのタブレット端末１０と、音響装置としてのテレビジョン表示装置１と、情報処理装置としてのサーバ１００とをネットワーク接続したシステムであるので、配線作業の必要が無く、簡単かつ手軽に周波数特性調整を実行することができる。
【００５８】
なお、本実施形態においては、音響装置としてテレビジョン表示装置１を適用したが、これに限るものではなく、例えば音響アンプ等に適用するようにしても良い。
【００５９】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６０】
１      音響装置
１０    携帯端末
１２    表示部
３０    集音部
６５    周波数特性調整部
１００  情報処理装置
【図１】
2013135320.tif 000003
【図２】
2013135320.tif 000004
【図３】
2013135320.tif 000005
【図４】
2013135320.tif 000006
【図５】
2013135320.tif 000007
【図６】
2013135320.tif 000008
【図７】
2013135320.tif 000009